(57)【要約】【課題】初めての発信者のからの着信に対し、短時間のメッセージ録音を行い再度の着信でのメッセージ録音の可否を設定可能とした留守番電話録音方法、留守番電話機能付き電話機及び制御プログラムを提供する。【解決手段】電話帳等に登録済みの電話番号からの着信には通常の長い所定時間（例えば最大３分間）のメッセージ録音を可能とし（ｓ３０５）、初めての電話番号からの着信には短い時間（例えば最大１５秒間）のメッセージ録音を可能とし（ｓ３０７）、電話帳等にメッセージ録音を禁止する付加情報のある電話番号からの着信には留守番電話機能を起動せず、着信音を継続する制御を行う（ｓ３０８）。本電話機の使用者は、短い時間の録音メッセージを再生して聴取し、初めてかかってきた電話相手が不快を感じる等の場合は、前記付加情報のある電話番号として電話帳等に登録することにより、以降の同一電話番号（相手）からのメッセージ録音を禁止することが可能である。【選択図】図６
2007312248.tif 000002
【特許請求の範囲】
【請求項１】
電話機の留守番電話機能の設定状態で、電話機に登録済みの電話番号からの着信に対し、所定時間のメッセージ録音が可能な留守番電話録音方法であって、
着信に係る電話番号が前記電話機に登録済みの電話番号以外の場合に、前記所定時間より短時間のメッセージ録音を可能とし、当該短時間のメッセージ録音に係る電話番号の電話機への登録に関連してメッセージ録音を不可とする付加情報の登録を可能とし、当該付加情報が登録された登録済みの電話番号からの着信に対し、メッセージ録音を不可として着信音を継続することを特徴とする留守番電話録音方法。
【請求項２】
付加情報が登録された登録済みの電話番号からの着信に対する着信音の継続は電話機側で無鳴動とすることを特徴とする請求項１記載の留守番電話録音方法。
【請求項３】
前記電話機に登録済みの電話番号と前記付加情報が登録された登録済みの電話番号は、それぞれ電話機の電話帳と着信履歴リスト又は他のリストとして登録されることを特徴とする請求項１又は２記載の留守番電話録音方法。
【請求項４】
前記電話機に登録済みの電話番号と前記付加情報が登録された登録済みの電話番号は、何れも電話機の電話帳として登録されることを特徴とする請求項１又は２記載の留守番電話録音方法。
【請求項５】
電話機の留守番電話機能の設定状態で、電話機へ登録済みの電話番号からの着信に対し、所定時間のメッセージ録音が可能な留守番電話機能付き電話機であって、
着信に係る電話番号と前記電話機に登録済みの電話番号との一致を検出する比較手段と、前記比較手段が前記一致を検出時に前記所定時間のメッセージ録音を可能とし、不一致を検出時に前記所定時間より短時間のメッセージ録音を可能とする録音制御手段と、当該短時間のメッセージ録音に係る電話番号の電話機への登録及び該登録に関連してメッセージ録音を不可とする付加情報の登録を可能とする登録手段と、前記付加情報が登録された登録済みの電話番号からの着信に対し、メッセージ録音を不可とし着信音を継続する回線制御手段とを有することを特徴とすることを特徴とする留守番電話機能付き電話機。
【請求項６】
付加情報が登録された登録済みの電話番号からの着信に対する着信音の継続は電話機側で無鳴動とすることを特徴とする請求項５記載の留守番電話録音方法。
【請求項７】
前記登録手段には、前記電話機への登録済みの電話番号と前記付加情報が登録された登録済みの電話番号をそれぞれ登録する電話帳と着信履歴リスト又は他のリストの記憶領域を有することを特徴とする請求項５又は６記載の留守番電話機能付き電話機。
【請求項８】
前記登録手段には、前記電話機に登録済みの電話番号と前記付加情報が登録された登録済みの電話番号が登録される電話帳の記憶領域を有することを特徴とする請求項５又は６記載の留守番電話機能付き電話機。
【請求項９】
電話機の留守番電話機能の設定状態で、電話機に登録済みの電話番号からの着信に対し、所定時間のメッセージ録音が可能な留守番電話録音の制御プログラムであって、
着信に係る電話番号と電話機の登録済みの電話番号との一致を検出する比較機能と、前記比較機能が前記一致を検出時に前記所定時間のメッセージ録音を可能とし、不一致を検出時に前記所定時間より短時間のメッセージ録音を可能とする録音制御機能と、当該短時間のメッセージ録音に係る電話番号の電話機への登録及び該登録に関連してメッセージ録音を不可とする付加情報の登録を可能とする登録機能と、前記付加情報が登録された登録済みの電話番号からの着信に対し、メッセージ録音を不可とし着信音を継続する回線制御機能とを、コンピュータに実現させることを特徴とする制御プログラム。
【請求項１０】
付加情報が登録された登録済みの電話番号からの着信に対する着信音の継続は電話機側で無鳴動とすることを特徴とする請求項９記載の制御プログラム。
【発明の詳細な説明】
【技術分野】
【０００１】
本発明は、電話機の留守番電話機能に関し、特に、発信元の電話番号に応じた留守番電話動作の切り分けが可能な留守番電話録音方法、留守番電話機能付き電話機及び制御プログラムに関する。
【背景技術】
【０００２】
留守番電話システム（留守番電話機能）は、電話機側で留守番電話動作（メッセージ録音）の設定（ＯＮ）がなされている時、着信を受けた際に、着信側の意思に関わらず、無条件で応答メッセージを鳴動し、発信者のメッセージを一定時間録音するというものであった。つまり、このような留守番電話機能を有する電話機では、かかってきた電話が、勧誘等の電話であるのか知人からの重要な電話であるのか等の判断はできないので、発信者に応じてそのメッセージを残すか否かを切り分けることは不可能であり、単に留守番録音設定（ＯＮ／ＯＦＦ）により発信者からのメッセージを残すか否かの設定が可能であるにすぎないものであった。
【０００３】
このため、このような電話機では留守番電話機能の設定をＯＮ状態にしておくと、着信者にとって望ましくない悪意のある発信者等からのメッセージを残してしまい、不快な思いをするケースが存在しうる。
【０００４】
この不都合を回避するために、電話帳登録された発信者からの着信に対してのみ、メッセージ録音が動作するように構成した留守番電話機能を有する電話機が知られている（特許文献１参照）。電話帳の登録された電話番号からの着信である場合に留守番電話機能を起動し、電話帳に登録された電話番号以外からの着信の場合に留守番電話機能を起動せずに着信音を継続して鳴動させるように構成されている。
【０００５】
図８は本機能を示す図であり、（ａ）は電話帳登録された電話番号からの着信時の動作、（ｂ）は電話帳登録されていない電話番号からの着信時の動作である。電話帳登録された電話番号からの着信の場合は、留守番電話動作に移行して、相手側のメッセージを促して録音するが、電話帳登録されていない電話番号からの着信の場合には留守番電話機能が動作せず、着信音が鳴動し続ける。
【特許文献１】特開平１１−１４６０５５号公報
【発明の開示】
【発明が解決しようとする課題】
【０００６】
近年、個人情報の重要性が注目される中、悪意のある業者が電話帳から無作為に抽出した電話番号に電話をかけ、勧誘のＦＡＸ、伝言を残していく迷惑電話が増加してきている。この種の迷惑電話のうちのいくつかは、番号非通知の着信を拒否するサービス等で、排除することが可能であるが、番号を通知してきた着信については、それを無視したいという着信者の意思に反して着信し、伝言等を録音してしまうという問題があった。
【０００７】
かかる迷惑電話に対しては特許文献１の電話機が効果的であるものの、友人等、重要な人物からの着信でも電話帳への登録がなされていない場合は留守番電話機能が動作せず、伝言等のメッセージの録音がなされないという問題がある。
【０００８】
本発明の目的は、かかる課題を解決するものであり、着信側が期待しない相手からの着信に対し、留守番電話機能を動作せず、メッセージ録音を残さないようにする留守番電話録音方法、留守番電話機能付き電話機及び制御プログラムを提供するものである。
【０００９】
本発明の他の目的は、初めての発信者のからの着信に対し、短時間のメッセージ録音を行い再度の着信でのメッセージ録音の可否を設定可能な留守番電話録音方法、留守番電話機能付き電話機及び制御プログラムを提供することにある。
【課題を解決するための手段】
【００１０】
本発明は、電話番号を通知してきた相手からの着信時に、電話機に登録されている電話番号か否か（例えば、電話帳及びリスト等に登録されているか否か）を判断して、留守番電話動作の起動、非起動、起動時の録音時間を制御するものである。このサービスは固定電話機、携帯電話機、ＩＰ電話機等の如何にかかわらず適用可能である。
【００１１】
本発明は電話番号を通知してきた電話に対しても、電話帳等への登録の有無を判断材料として、留守番電話処理を起動させるか、着信音の鳴動を継続させるかを切り分けるものである。また、電話帳等への登録がされていないため留守番電話機能が動作しなかった場合にも、着信履歴から電話帳等への登録を可能とし、次回以降の着信に対して着信の可否を設定可能とし、使用者の意向にそった留守番電話機能の設定を可能とする。つまり、
【００１２】
本発明の留守番電話録音方法は、電話機の留守番電話機能の設定状態で、電話機に登録済み（電話帳とリスト、電話帳と着信履歴リスト、又は電話帳のみ、のいずれかに登録済み）の電話番号からの着信に対し、所定時間のメッセージ録音が可能な留守番電話録音方法であって、着信に係る電話番号が前記電話機に登録済みの電話番号以外の場合に、前記所定時間より短時間のメッセージ録音を可能とし、当該短時間のメッセージ録音に係る電話番号の電話機への登録に関連してメッセージ録音を不可とする付加情報の登録を可能とし、当該付加情報が登録された登録済みの電話番号からの着信に対し、メッセージ録音を不可として着信音を継続することを特徴とする。
【００１３】
本発明の留守番電話機能付き電話機は、電話機の留守番電話機能の設定状態で、電話機への登録済みの電話番号からの着信に対し、所定時間のメッセージ録音が可能な留守番電話機能付き電話機であって、着信に係る電話番号と前記電話機の登録済みの電話番号との一致を検出する比較手段と、前記比較手段が前記一致を検出時に前記所定時間のメッセージ録音を可能とし、不一致を検出時に前記所定時間より短時間のメッセージ録音を可能とする録音制御手段と、当該短時間のメッセージ録音に係る電話番号の電話機への登録及び該登録に関連してメッセージ録音を不可とする付加情報の登録を可能とする登録手段と、前記付加情報が登録された登録済みの電話番号からの着信に対し、メッセージ録音を不可とし着信音を継続する回線制御手段とを有することを特徴とすることを特徴とする。
【００１４】
また、付加情報が登録された登録済みの電話番号からの着信に対する着信音の継続は電話機側で無鳴動とし、また、前記電話機に登録済みの電話番号と前記付加情報が登録された登録済みの電話番号は、それぞれ電話機の電話帳と着信履歴リスト又は他のリスト、又は何れも電話帳のみに登録される。
【００１５】
本発明の制御プログラムは、電話機の留守番電話機能の設定状態で、電話機に登録済みの電話番号からの着信に対し、所定時間のメッセージ録音が可能な留守番電話録音の制御プログラムであって、着信に係る電話番号と電話機の登録済みの電話番号との一致を検出する比較機能と、前記比較機能が前記一致を検出時に前記所定時間のメッセージ録音を可能とし、不一致を検出時に前記所定時間より短時間のメッセージ録音を可能とする録音制御機能と、当該短時間のメッセージ録音に係る電話番号の電話機への登録及び該登録に関連してメッセージ録音を不可とする付加情報の登録を可能とする登録機能と、前記付加情報が登録された登録済みの電話番号からの着信に対し、メッセージ録音を不可とし着信音を継続する回線制御機能とを、コンピュータに実現させることを特徴とし、付加情報が登録された登録済みの電話番号からの着信に対する着信音の継続は電話機側で無鳴動とすることを特徴とする。
【発明の効果】
【００１６】
本発明によれば、勧誘やストーカーなど、着信者が迷惑と感じる相手からの電話に対して、留守番電話機能を起動しない等、メッセージ録音をしないから、不快なメッセージ等を残すことを回避できる。
【００１７】
また、着信者が迷惑と感じる相手に対し留守番電話機能を起動せず、呼び出し音を流し続けることで、相手の電話をかけようとする意思を断念させることができる。
【００１８】
更に、留守番電話機能を起動しない付加情報が登録された電話番号からの着信に対し、留守番電話機の着信音を無鳴動とする無鳴動着信機能を併用する構成により、夜間等の着信時に着信音の継続による睡眠が妨害されることを回避し、必要な相手からのメッセージのみの録音が可能である。
【発明を実施するための最良の形態】
【００１９】
（実施の形態１）
（構成の説明）
図１は本発明の留守番電話機能付き電話機の一実施の形態の構成を示す図である。携帯電話機又は固定電話機の留守番電話機能の部分を示すブロック構成であり、基地局又は交換局との通信用の通信部１と、留守番電話機能を実現するメッセージを録音するレコーダ又はネットワーク上の留守番電話サービスセンター２と、ＲＯＭ、ＲＡＭ等のＣＰＵ（中央処理装置）等の内部メモリを含み各種のプログラム及びデータを記録する外部表記した記憶部３と、着信音鳴動用、通話及び再生音用のスピーカ４と、テンキー等の操作部５と、各種表示を行う表示部６と、電話機能に加え留守番電話機能を制御するＣＰＵを含みコンピュータで構成可能な制御部７とから構成される。
【００２０】
ここで、制御部７は記憶部３に記憶されたプログラムを読み込み、読み込んだプログラムにより制御され、前記各部の制御を行い、通常の携帯電話機又は固定電話機の発着信、通信制御、通話、電子メール、ネットワーク接続等の各種機能に加え留守番電話動作を制御し、以下の制御機能（手段）を実現する。
【００２１】
通信部１を介する発信者からの着信に対し発信者番号を抽出する発信者番号抽出機能（手段）７３、電話番号等を登録するための電話帳機能（電話帳）７７と後述するリスト機能（リスト）７８、着信時の着信音の発生及び停止を制御する着信音制御機能（手段）７１、発信者番号抽出機能（手段）７３で抽出した電話番号が前記電話帳７７等に登録済みの電話番号か否かを判断する比較機能（手段）７４、着信に対する回線閉結、終話時の回線開放の制御に加え、前記比較機能（手段）７４が前記登録済みの電話番号等の場合に回線を自動閉結し着信音を停止する回線閉結及び終話時の回線開放、着信音の制御を行う回線制御機能（手段）７２、発信者電話番号に応じ、予め電話機に設定され又は使用者により設定可能な録音時間によりレコーダ等に留守番電話用のメッセージを録音する録音制御機能（手段）７５、着信時の応答メッセージ及び録音メッセージを再生する再生制御機能（手段）７６、着信時の相手電話番号が自動的に記録される着信履歴リスト７９からなる。
【００２２】
本実施の形態１では、電話帳７７は通常の電話機の電話帳であり、リスト７８は着信履歴リスト７９から使用者により選択的に当該電話番号を改めて登録するリストとして機能し、電話番号の登録手段を構成する。
【００２３】
図２は電話帳及びリストの登録データを示す図である。電話帳７７には少なくとも通話相手の氏名等と電話番号とが登録され、リスト７８には少なくとも通話相手の氏名等と電話番号と付加情報とが登録される。例えば電話帳７７には使用者が操作部５からのキー入力操作により個別に氏名等と電話番号を登録でき、また、着信履歴リスト７９から電話番号等を選択的に登録することができる。また、リスト７８には使用者が後述する付加情報（メッセージ録音の禁止情報（１））とともに操作部５のキー入力操作により個別に氏名等と電話番号を登録し、又は使用者が短時間の録音メッセージのある着信履歴を表示し、その録音メッセージ等の内容を聴取した結果として操作部５の簡単な操作により付加情報とともに氏名等と電話番号を登録することができる。
【００２４】
（動作の説明）
次に本実施の形態１の留守番電話機能付き電話機の動作、留守番電話録音方法及び制御手順を詳細に説明する。  
最初に、着信者からのメッセージ録音の動作について詳細に説明する。  
図３は本実施の形態の留守番電話機能付き電話機の録音動作の処理フローを示す図である。この処理フローは、電話帳等に登録済みの電話番号からの着信には通常の長い時間のメッセージ録音を可能とし、初めての電話番号からの着信には短い時間のメッセージ録音を可能とし、リストに付加情報のある電話番号からの着信には留守番電話機能を起動しない制御を行うものである。これにより短い時間の録音メッセージを再生して聴取することにより、初めてかかってきた電話相手が不快等を感じる場合は、付加情報のある電話番号としてリストに記録し、以降のメッセージ録音は回避される。
【００２５】
本実施の形態１の電話機が他の電話機からの着信を受けると（ｓ１００）、着信音制御機能７１は着信音を送出するとともに、発信者番号抽出機能７３が発信元の電話番号を抽出し（ｓ１０１）、比較機能７４は電話帳７７の登録済みの電話番号に合致するか否かを判断し（ｓ１０２）、登録済みの電話番号に合致する場合には比較機能７４の出力により回線制御機能７２が回線を閉結して応答メッセージを送出し（ｓ１０３）、その後、録音制御機能７５は相手のメッセージを長い所定時間、例えば最大３分間録音し（ｓ１０４）、回線制御機能７２が回線を開放する。
【００２６】
ステップｓ１０２で、発信元の電話番号が電話帳７７の登録済みの電話番号に合致しない場合には、比較機能７４は発信元の電話番号がリスト７８に登録済みの電話番号に合致するか否かを判断し（ｓ１０５）、リスト７８の登録済みの電話番号に合致する場合には、更に付加情報（１）が登録されているか否かを判断し（ｓ１０６）、付加情報（１）が登録されていな場合は、例えば最大３分間の録音の処理に移行し（ｓ１０３、ｓ１０４）、付加情報（１）が登録されている場合は回線制御機能７２が回線を閉結せず、着信音の送出を継続する（ｓ１０７）。
【００２７】
更にステップｓ１０５で、発信元の電話番号がリスト７８に電話番号が登録されていない場合には、回線制御機能７２が回線を閉結して応答メッセージを送出し（ｓ１０８）、その後、録音制御機能７５は相手のメッセージを前記所定時間より充分短い例えば最大１５秒間録音し（ｓ１０９）、回線制御機能７２が回線を開放する。
【００２８】
次に、本実施の形態１の以上のメッセージ録音を制御するリスト７８への電話番号及び付加情報の登録動作について説明する。  
図４は本実施の形態１の留守番電話機能付き電話機のリストへの登録動作の処理フローを示す図である。本実施の形態１の電話機が他の電話機からの１ないし複数の着信があったとして、主に付加情報の登録について以下説明する。
【００２９】
使用者が着信履歴リスト等に基づき着信履歴を表示し（ｓ２００）、短い録音時間の録音の履歴があった場合（ｓ２０１）、必要により最初の履歴を選択し（ｓ２０２）、録音メッセージを再生し（ｓ２０３）、録音内容から友人等、重要人物か否かを判断する（ｓ２０４）。当該録音内容から重要人物からのメッセージの場合にはリスト７８に電話番号等を登録する（ｓ２０５）。録音内容が無音の場合や、勧誘や宣伝等のメッセージの場合にはリスト７８に電話番号と付加情報（１）を登録する（ｓ２０８）。次に同様の履歴がある場合（ｓ２０６）、必要によりその履歴を選択し（ｓ２０７）、ステップｓ２０３以降の処理を同様に行い、着信履歴により全ての登録、非登録等の処理を終了する。
【００３０】
この結果、重要人物等からのメッセージの着信は電話番号のみ登録され、無言の状態が続く着信や不快を感じるメッセージの着信は電話番号に付加情報が追加されたリストとして記録されていくことになる。ここでリストは限られた記憶領域で実現する必要があるから着信を受けた順等で並べ古いものは上書きするように処理し、もしくは、着信者の判断により古いものから見直し（リストからのクリア）を行うことで対応できるように構成する。
【００３１】
（実施の形態２）
以上の実施の形態１では、本発明の機能を実現するための新たなリスト７８を設けた例を説明したが、この機能を電話帳７７自体に持たせるように電話帳７７の記憶領域及び処理を変更することができる。
【００３２】
図５は本発明の留守番電話機能付き電話機の第２の実施の形態２の構成を示す図である。実施の形態１と同様の基本構成であるが、登録手段を電話帳７７’のみで構成したものであり、実施の形態１と同一記号のブロックは同様の機能を有している。以下、本実施の形態２の処理について説明する。
【００３３】
図６は本実施の形態２の留守番電話機能付き電話機の録音動作の処理フローを示す図である。この処理フローは、電話帳にメッセージ録音を禁止する（不可とする）情報である付加情報（１）のある電話番号の登録をも可能とし、通常の電話帳の登録済みの電話番号からの着信には長い所定時間のメッセージ録音を可能とし、電話帳に登録のない電話番号からの着信には短い時間のメッセージ録音を可能とし、電話帳の付加情報のある電話番号からの着信には留守番電話機能を起動しない制御を行うものである。
【００３４】
本実施の形態２の電話機が他の電話機からの着信を受けると（ｓ３００）、着信音制御機能７１は着信音を送出するとともに、発信者番号抽出機能７３が発信元の電話番号を抽出し（ｓ３０１）、比較機能７４は電話帳７７’に登録済みの電話番号か否かを判断し（ｓ３０２）、登録済みの電話番号である場合には、比較機能７４は更に付加情報付の電話番号か否かを判断し（ｓ３０３）、発信元の電話番号が付加情報付きの登録済みの電話番号の場合、比較機能７４の出力により回線制御機能７２が回線を閉結して応答メッセージを送出し（ｓ３０４）、その後、録音制御機能７５は相手のメッセージを長い所定時間、例えば最大３分間録音し（ｓ３０５）、回線制御機能７２が回線を開放する。
【００３５】
ステップｓ３０３で、発信元の電話番号が付加情報付きでない登録済みの電話番号の場合、回線制御機能７２が回線を閉結せず、着信音の送出を継続する（ｓ３０８）。
【００３６】
更にステップｓ３０２で、発信元の電話番号が電話帳７７’に存在しない場合には、比較機能７４の出力により回線制御機能７２が回線を閉結して応答メッセージを送出し（ｓ３０６）、その後、録音制御機能７５は相手のメッセージを短い時間、例えば最大１５秒間録音し（ｓ３０７）、回線制御機能７２が回線開放する。
【００３７】
図７は本実施の形態２の留守番電話機能付き電話機の電話帳への登録動作の処理フローを示す図である。  
使用者は１ないし複数の着信に対し着信履歴リスト７９等から着信履歴を表示し（ｓ４００）、短い録音時間の録音の履歴がある場合（ｓ４０１）、必要により最初の履歴を選択し（ｓ４０２）、録音メッセージを再生し（ｓ４０３）、録音内容から友人等、重要人物か否かを判断する（ｓ４０４）。当該録音内容が重要人物からのメッセージの場合には電話帳７７’に電話番号を登録する（ｓ４０５）。録音内容が無音の場合や、勧誘や宣伝等のメッセージの場合には電話帳７７’に電話番号とメッセージ録音の禁止情報である付加情報（１）を登録する（ｓ４０８）。次に同様の履歴がある場合（ｓ４０６）、必要によりその履歴を選択し（ｓ４０７）、ステップｓ４０３以降の処理を同様に行い、全ての登録、非登録等の処理を終了する。  
本実施の形態２によれば、電話帳７９の記憶領域に付加情報を登録可能な領域を設けるのみでよく、記憶領域を節約することが可能である。
【００３８】
（他の実施の形態）
以上、本発明の留守番電話機能の起動又は非起動の制御に関する電話機への電話番号や不可情報の登録を、電話帳と新たなリストを併用して行う実施の形態１と、電話帳のみを使用して行う実施の形態２の例を説明したが、実施の形態１においてリストに代えて、着信時に相手電話番号が自動的に記録される電話機の既存の着信履歴リストで共用するように構成することも可能である。この場合、着信履歴リストには付加情報を追加するようにその記憶領域を設定する。付加情報には電話帳登録と同様の最大録音時間（例えば３分間）の扱いをするための付加情報（例えば０）と留守番電話機能を起動しない（メッセージ録音の禁止の）付加情報（例えば１）を追加することで実現可能であり、電話帳のみを使用する場合と同様に記憶領域の節約が可能である。
【００３９】
以上の実施の形態において、留守番電話機能を起動しない（メッセージ録音の禁止の）付加情報が登録された電話番号からの着信に対し、留守番電話機の着信音を無鳴動とする無鳴動着信機能を併用することにより、夜間等の着信時に着信音の継続による睡眠が妨害されることを回避し、必要な相手からのメッセージのみの録音を可能に構成することもできる。
【発明を利用しようとする例】
【００４０】
携帯電話、ＩＰ電話、一般電話
【図面の簡単な説明】
【００４１】
【図１】本発明の留守番電話機能付き電話機の一実施の形態の構成を示す図である。
【図２】電話帳及びリストの登録データを示す図である。
【図３】本実施の形態の留守番電話機能付き電話機の録音動作の処理フローを示す図である。
【図４】本実施の形態１の留守番電話機能付き電話機のリストへの登録動作の処理フローを示す図である。
【図５】本発明の留守番電話機能付き電話機の第２の実施の形態２の構成を示す図である。
【図６】本実施の形態２の留守番電話機能付き電話機の録音動作の処理フローを示す図である。
【図７】本実施の形態２の留守番電話機能付き電話機の電話帳への登録動作の処理フローを示す図である。
【図８】従来例を示す図である。
【符号の説明】
【００４２】
１  通信部
２  レコーダ又は留守番電話サービスシステム
３  記憶部
４  スピーカ
５  操作部
６  表示部
７  制御部
７１  着信音制御機能
７２  回線制御機能
７３  発信者番号抽出機能
７４  比較機能
７５  録音制御機能
７６  再生制御機能
７７、７７’  電話帳
７８  リスト
７９  着信履歴リスト
【図１】
2007312248.tif 000003
【図２】
2007312248.tif 000004
【図３】
2007312248.tif 000005
【図４】
2007312248.tif 000006
【図５】
2007312248.tif 000007
【図６】
2007312248.tif 000008
【図７】
2007312248.tif 000009
【図８】
2007312248.tif 000010